(57)【要約】【課題】レンズの傾き調整における調整中心を像側に配置することで、像側調整中心用のレンズユニットにおける傾き調整を可能とする。【解決手段】このレンズ調整機構には、レンズ群を保持するレンズユニットと、レンズ群の像側でレンズユニットを支持するレンズ支持部と、レンズ支持部をレンズ群の像側で支持する基台とが備えられている。レンズ支持部は、レンズ群の物体側に向けて突出して、レンズユニットをスライド自在に支持する突出部を有している。突出部におけるレンズユニットと接触する面は、レンズ群の像側の所定位置を中心とした球面に形成されている。【選択図】図１
2007286168.tif 000002
【特許請求の範囲】
【請求項１】
レンズ群を保持するレンズユニットと、
前記レンズ群の像側で前記レンズユニットを支持するレンズ支持部と、
前記レンズ支持部を前記レンズ群の像側で支持する基台とを備え、
前記レンズ支持部は、前記レンズ群の物体側に向けて突出して、前記レンズユニットをスライド自在に支持する突出部を有し、
前記突出部における前記レンズユニットと接触する面は、前記レンズ群の像側の所定位置を中心とした球面に形成されていることを特徴とするレンズ調整機構。
【請求項２】
請求項１記載のレンズ調整機構において、
前記レンズユニットにおける前記突出部に接触する部分は、前記突出部に向けて突出する少なくとも３つの突起であることを特徴とするレンズ調整機構。
【請求項３】
請求項１又は２記載のレンズ調整機構において、
前記レンズ支持部と前記基台とは一体形成されていることを特徴とするレンズ調整機構。
【発明の詳細な説明】
【技術分野】
【０００１】
本発明は、レンズ調整機構に係り、特に、光ピックアップの対物レンズを調整するためのレンズ調整機構に関する。
【背景技術】
【０００２】
光ピックアップには、光ディスクのデータを読み取るための対物レンズが搭載されている。この対物レンズは、光軸を正確に配置するため、傾きを調整した後に固定されることになっている。従来では、球面を有したレンズホルダに、対物レンズを載置し、当該対物レンズをレンズホルダの球面に沿ってスライドさせることで、スムーズな対物レンズの傾き調整を実現していた。レンズホルダの球面は、対物レンズの像側に向けて凹んでいるので、球面の中心は対物レンズの物体側に位置している。この球面の中心が、対物レンズの調整中心となっている。
【特許文献１】特開平７−２２０２８６号公報
【発明の開示】
【発明が解決しようとする課題】
【０００３】
近年、ピックアップには、単体の対物レンズ以外にもレンズ群（レンズユニット）が用いられるものが開発されている。このレンズユニットの種類によっては、傾き調整における調整中心が物体側でなく像側に配置されているものがある。この像側に調整中心が配置されているレンズユニットであると、上述したような調整中心が物体側に配置されてしまうレンズホルダには適用できないのが問題であった。
【０００４】
本発明の課題は、レンズの傾き調整における調整中心を像側に配置することで、像側調整中心用のレンズユニットにおける傾き調整を可能とすることである。
【課題を解決するための手段】
【０００５】
請求項１記載の発明におけるレンズ調整機構は、
レンズ群を保持するレンズユニットと、
前記レンズ群の像側で前記レンズユニットを支持するレンズ支持部と、
前記レンズ支持部を前記レンズ群の像側で支持する基台とを備え、
前記レンズ支持部は、前記レンズ群の物体側に向けて突出して、前記レンズユニットをスライド自在に支持する突出部を有し、
前記突出部における前記レンズユニットと接触する面は、前記レンズ群の像側の所定位置を中心とした球面に形成されていることを特徴としている。
【０００６】
請求項２記載の発明は、請求項１記載のレンズ調整機構において、
前記レンズユニットにおける前記突出部に接触する部分は、前記突出部に向けて突出する少なくとも３つの突起であることを特徴としている。
【０００７】
請求項３記載の発明は、請求項１又は２記載のレンズ調整機構において、
前記レンズ支持部と前記基台とは一体形成されていることを特徴としている。
【発明の効果】
【０００８】
本発明によれば、突出部におけるレンズユニットと接触する面が、レンズ群の像側の所定位置を中心とした球面に形成されているので、当該面に沿ってレンズユニットをスライドさせれば、レンズの傾き調整における調整中心が像側に位置することになる。これにより、像側調整中心用のレンズユニットであっても傾き調整が可能となる。
【発明を実施するための最良の形態】
【０００９】
以下、本実施形態におけるレンズ調整機構について図を参照にして説明する。図１はレンズ調整機構の概略構成を表す説明図であり、図２は分解図である。そして、図１、図２のいずれにおいても（ａ）は斜視図、（ｂ）は断面斜視図となっている。
【００１０】
図１、図２に示すように、レンズ調整機構１には、レンズ群２を保持するレンズユニット３と、レンズ群２の像側（像側焦点側、つまりフォトダイオード側）でレンズユニット３を支持する略リング状のレンズ支持部４と、レンズ支持部４をレンズ群２の像側で支持する中空円板状の基台５とが設けられている。なお、図面においては上側がレンズ群２の物体側（物体焦点側、つまり光ディスク側）となっていて、下側がレンズ群２の像側となっている。
【００１１】
レンズ支持部４には、レンズ群２の物体側に向けて突出して、レンズユニット３をスライド自在に支持する突出部６が設けられている。図３は、突出部６の断面形状を表す断面図である。図３に示すように、突出部６におけるレンズユニット３と接触する面６１は、レンズ群２の像側の所定位置Ａを中心とした球面に形成されている。この所定位置Ａがレンズユニット３の傾き調整時の調整中心となる。この調整中心は、レンズ支持部４の中心軸４１上に配置されている。
【００１２】
レンズユニット３には、例えば３枚のレンズ２１，２２，２３からなるレンズ群２と、レンズ群２を保持する略円筒状のレンズフレーム７とが設けられている。レンズフレーム７の下端部は、内径が他の部分よりも広くなっていて、その内面には突出部に向けて突出する少なくとも３つの突起７１が設けられている。例えば突起７１が３つ設けられている場合には、各突起７１は１２０°間隔で配置されることになる。この突起７１は、レンズユニット３がレンズ支持部４に支持された際に、突出部６の面６１と接触するようになっている。つまり、レンズユニット３がレンズ支持部４上をスライドした際には、突起７１が突出部６の面６１に沿ってスライドするために、レンズユニット３自体は前述した所定位置Ａを中心として球面運動をすることになって、レンズユニット３の傾き調整が可能となる。
【００１３】
次に本実施形態の作用について説明する。
まず、作業者はレンズ支持部４を基台５に載置して、接着剤等で固定する。その後、作業者は、レンズ支持部４における突出部６の面６１と、レンズユニット３におけるレンズフレーム７の突起７１とが接触するように、レンズユニット３をレンズ支持部４上に載置する。
【００１４】
そして、作業者はレンズユニット３が所定の傾きとなるように、レンズユニット３をレンズ支持部４上でスライドさせる。この際、図４に示す一点鎖線Ｂ（調整経路）に沿ってレンズユニット３が球面運動することになる。そして、レンズユニット３が所定の傾きとなったら、作業者は接着剤等でレンズユニット３をレンズ支持部４上に固定し、レンズユニット３の取り付けを完了する。
【００１５】
以上のように、本実施形態によれば、突出部６におけるレンズユニット３と接触する面６１が、レンズ群２の像側の所定位置Ａを中心とした球面に形成されているので、当該面６１に沿ってレンズユニット３をスライドさせれば、レンズの傾き調整における調整中心が像側に位置することになる。これにより、像側調整中心用のレンズユニットであっても傾き調整が可能となる。
【００１６】
また、レンズユニット３のレンズフレーム７における突出部６に接触する部分は、突出部６に向けて突出する少なくとも３つの突起７１であるので、当該部分を面６１と同曲率となる面に形成しなくとも、レンズユニット３を面６１に沿ってスライドすることが可能となる。これにより、部品製造時における手間を省略することができる。
【００１７】
なお、本発明は上記実施の形態に限らず適宜変更可能であるのは勿論である。
例えば、本実施形態では、レンズ支持部４と基台５とが別体である場合を例示したが、図５、図６に示すようにレンズ支持部４と基台５とが予め一体的に形成されていてもよい。こうした場合、レンズ調整機構の部品点数を削減できるとともに、レンズ支持部４と基台５とを固定する手間も省略することもできる。この固定作業を省略することができるのであれば、固定作業時にレンズ支持部４と基台５とが位置ずれしてしまうことも防止できる。
【図面の簡単な説明】
【００１８】
【図１】本実施形態におけるレンズ調整機構の概略構成を表す説明図であり、（ａ）は斜視図、（ｂ）は断面斜視図である。
【図２】図１のレンズ調整機構の分解図であり、（ａ）は斜視図、（ｂ）は断面斜視図である。
【図３】図１のレンズ調整機構に備わるレンズユニットの突出部の断面形状を表す断面図である。
【図４】図３のレンズユニットの調整経路を表す説明図である。
【図５】図１のレンズ調整機構の変形例を表す説明図であり、（ａ）は斜視図、（ｂ）は断面斜視図である。
【図６】図５のレンズ調整機構の分解図であり、（ａ）は斜視図、（ｂ）は断面斜視図である。
【符号の説明】
【００１９】
１      レンズ調整機構
２      レンズ群
３      レンズユニット
４      レンズ支持部
５      基台
６      突出部
７      レンズフレーム
２１，２２，２３    レンズ
４１      中心軸
６１      面
７１      突起
Ａ      所定位置
Ｂ      一点鎖線（調整経路）
【図１】
2007286168.tif 000003
【図２】
2007286168.tif 000004
【図３】
2007286168.tif 000005
【図４】
2007286168.tif 000006
【図５】
2007286168.tif 000007
【図６】
2007286168.tif 000008